(57)【要約】【課題】本発明は、スペースを低減し、コストも節約し、着脱操作を便利で信頼性の高い処理ボックスを提供する。【解決手段】本発明は、少なくとも感光ドラムと、現像ローラと、感光ドラムおよび現像ローラを収容する保護ケースと、保護ケースに伸縮可能に取り付けられた把持部とを備えた処理ボックスにおいて、前記感光ドラムは、静電潜像が形成されるように、前記保護ケースに取り付けられ、前記現像ローラは、感光ドラムにおける静電潜像を現像させ、前記把持部は、拡張状態と、当該拡張状態と反対する格納状態とを有する処理ボックスを提供している。【選択図】図１
2010237314.tif 000002
【特許請求の範囲】
【請求項１】
少なくとも感光ドラムと、現像ローラと、感光ドラムおよび現像ローラを収容する保護ケースと、保護ケースに伸縮可能に取り付けられた把持部とを備えた処理ボックスにおいて、
前記感光ドラムは、静電潜像が形成されるように、前記保護ケースに取り付けられ、
前記現像ローラは、感光ドラムにおける静電潜像を現像させ、
前記把持部は、拡張状態と、当該拡張状態と反対する格納状態とを有する
ことを特徴とする処理ボックス。
【請求項２】
前記把持部は、少なくとも把持部スライダーと、把持部支え座と、把持部捩りばねと、把持部ストッパーとを含み、
前記把持部支え座は、保護ケースに一体的に取り付けられ、
前記把持部ストッパーと把持部捩りばねは、把持部支え座に取り付けられ、
前記把持部捩りばねは、把持部ストッパーに取り付けられ、把持部ストッパーが一定の回復力を備えるようにプリテンション状態とされる
ことを特徴とする請求項１に記載の処理ボックス。
【請求項３】
前記把持部支え座の両側にはスライドウェイがそれぞれ設けられ、把持部スライダーは、前記把持部を拡張状態及びその拡張状態に対向する格納状態となるように、スライドウェイでスライド可能に構成された
ことを特徴とする請求項２に記載の処理ボックス。
【請求項４】
前記把持部スライダーには複数の突起が形成され、突起と突起との間には阻止溝が形成され、
前記把持部ストッパーには阻止先端、プッシュプレート及び回転軸が設けられ、
前記把持部捩りばねは、回転軸に設けられ、
阻止先端は、阻止溝にめり込むようになり、阻止先端の長さは、回転軸から把持部スライダーまでの垂直距離よりも大きく、その場合、阻止先端は突起へ付勢力を与えるようになり、把持部スライダーのスライドを制限し、
プッシュプレートへ付勢力を与えると、阻止先端は阻止溝から退出し、把持部スライダーは自由にスライド可能になる
ことを特徴とする請求項２に記載の処理ボックス。
【請求項５】
前記把持部は、保護ケースの軸方向における略中央部に対称的に設けられている
ことを特徴とする請求項１に記載の処理ボックス。
【発明の詳細な説明】
【技術分野】
【０００１】
本発明は、レーザプリント、コピー機又はファクシミリ等の電気画像装置に用いられる処理ボックスに関する。
【背景技術】
【０００２】
従来、通常の電気画像装置の処理ボックスは、感光ドラムと、現像ローラと、感光ドラム及び現像ローラを収容する保護ケースとを備えている。感光ドラムは、静電潜像を受け取るために用いられ、現像ローラは、静電潜像が現像されるように、感光ドラムへ現像剤を供給している。
【０００３】
処理ボックス内の現像剤が使用済みになった場合は、処理ボックスを取り替える必要がある。その目的で、通常の処理ボックスは、ボックスの着脱操作が容易になるように、その保護ケースに把持部を設けていた。
【発明の開示】
【発明が解決しようとする課題】
【０００４】
しかし、上記処理ボックスの把持部は、処理ボックスの保護ケースの外周縁よりも大きく突出されて、処理ボックスのサイズが大きくなって経済的でなかった。
【０００５】
また、従来には、折り畳み可能な把持部を有し、把持部が回動可能に処理ボックスの保護ケースに取り付けられる処理ボックスも提案している。当該処理ボックスによれば、スペース節約目的を達することができるが、取り付け及び取り外し時に、回動軸を回って回転しやすくて、不安定であった。
【課題を解決するための手段】
【０００６】
上記した課題を解決するために、本発明は、少なくとも感光ドラムと、現像ローラと、感光ドラムおよび現像ローラを収容する保護ケースと、保護ケースに伸縮可能に取り付けられた把持部とを備えた処理ボックスにおいて、感光ドラムは、静電潜像が形成されるように、保護ケースに取り付けられ、現像ローラは、感光ドラムにおける静電潜像を現像させ、把持部は、拡張状態と、当該拡張状態と反対の格納状態とを有する処理ボックスを提供している。
【０００７】
また、把持部は、保護ケースの軸方向における略中央部に対称的に設けられている。その把持部は、少なくとも把持部スライダーと、把持部支え座と、把持部捩りばねと、把持部ストッパーとを含み、把持部支え座は、保護ケースに一体的に取り付けられ、把持部ストッパーと把持部捩りばねは、把持部支え座に取り付けられ、把持部捩りばねは、把持部ストッパーに取り付けられ、把持部ストッパーが一定の回復力を備えるようにプリテンション状態とされている。
【０００８】
さらに、把持部支え座の両側にはスライドウェイがそれぞれ設けられ、把持部スライダーは、把持部を拡張状態及びその拡張状態に対向する格納状態となるように、スライドウェイでスライド可能に構成されている。
【０００９】
さらに、把持部スライダーには複数の突起が形成され、突起と突起との間には阻止溝が形成され、把持部ストッパーには阻止先端、プッシュプレート及び回転軸が設けられ、把持部捩りばねは、回転軸に設けられ、阻止先端は、阻止溝にめり込むようになり、阻止先端の長さは、回転軸から把持部スライダーまでの垂直距離よりも大きく、その場合、阻止先端は突起へ付勢力を与えるようになり、把持部スライダーのスライドを制限し、プッシュプレートへ付勢力を与えると、阻止先端は阻止溝から退出し、把持部スライダーは自由にスライド可能になる。
【００１０】
把持部が拡張状態である時に、把持部ストッパーにおける阻止先端は、把持部捩りばねの回復力により、把持部スライダーにおける阻止溝にめり込み、阻止先端の長さは回転軸から把持部スライダーまでの垂直距離よりも大きく、その場合、阻止先端は突起へ付勢力を与え、把持部スライダーが下方へスライドしないように、把持部ストッパーの反時計方向の回転を制限している。
【００１１】
さらに、プッシュプレートと把持部スライダーをそれぞれに押圧すると、阻止先端が阻止溝より退出され、その場合、把持部スライダーは印加される押圧力により、把持部支え座上のスライドウェイに沿って格納状態までスライドする。
【００１２】
なお、処理ボックスが用いられる時に、把持部スライダーに引張力を与えると、把持部スライダーは、スライドウェイにおいて拡張状態までスライドする。
【発明の効果】
【００１３】
本発明は、従来の技術と比べて、以下のような利点がある。
把持部が格納状態である時に、包装及び保存スペースを低減し、コストも節約できる。
また、把持部が拡張状態である時に、利用者の電気画像装置に対する処理ボックスの着脱操作が便利になる。さらに、構造的に折り畳み可能な把持部よりも安定で信頼性がある。
【図面の簡単な説明】
【００１４】
【図１】本発明に係る実施の形態の処理ボックスの把持部が格納状態を示す図である。
【図２】本発明に係る実施の形態の処理ボックスの把持部が拡張状態を示す図である。
【図３】本発明に係る実施の形態の処理ボックスの側断面図である。
【図４】本発明に係る実施の形態の処理ボックスの把持部の部分拡大図である。
【発明を実施するための最良の形態】
【００１５】
次に説明する詳しい部材と素子は、本発明の具体的な実施の形態を全面に理解させるためのものである。そこで、当業者であるば、本発明の範囲と精神を逸脱しない範囲内で、次に記載される実施の形態について、様々に変更と修正を行うことができる。なお、便利のために、公知の機能と構造に関する記載を省略している。
【００１６】
図１、２、３に示すように、処理ボックスは、感光ドラムと、現像ローラと、感光ドラムと現像ローラを収容する保護ケース１と、把持部２とを備えている。把持部２は、伸縮可能に保護ケース１に取り付けられ、且つ、保護ケースの感光ドラムの軸方向に沿う略中央部に設けられ、拡張状態と格納状態とを有している。把持部２は、把持部スライダー３と、把持部支え座４と、把持部捩りばね５と、把持部ストッパー６とを備えている。
【００１７】
把持部支え座４は、保護ケース１に一体的取り付けられ、把持部捩りばね５は、把持部ストッパー６に取り付けられ、把持部ストッパー６は、把持部支え座４に取り付けられ、把持部捩りばね５は、把持部ストッパー６が一定の回復力を備えるようにプリテンション状態とされている。
【００１８】
図３に示すように、把持部支え座４の両側にはスライドウェイ４１がそれぞれ設けられ、把持部スライダー３には、複数の突起３１が形成され、突起３１の間には阻止溝３２が形成され、把持部ストッパー６には、阻止先端６１、プッシュプレート６２及び回転軸６３が設けられている。
【００１９】
処理ボックスが格納状態から拡張状態へ変わるべきである場合には、把持部スライダー３に引張力Ｆ１を与え、把持部スライダー３は、スライドウェイ４１を沿って上向きにスライドすることができ、その場合に、把持部ストッパー６は時計方向に回転する。把持部捩りばね５の回復力により、把持部ストッパー６は反時計方向に回転し、元の状態に回復する。
【００２０】
把持部スライダー３による引張力Ｆ１を撤去すると、把持部ストッパー６は、把持部捩りばね５の回復力によって反時計方向に回転され、元の状態に回復され、把持部ストッパー６上の阻止先端６１は、把持部スライダー３における阻止溝３２にめり込む。把持部スライダー３に押圧力Ｆ２を与え、把持部スライダー３の突起３１は阻止先端６１に反時計方向に回転させる力Ｆを与えて、把持部ストッパー６を反時計方向に回転させようとする。把持部ストッパー６上の阻止先端６１の長さは、回転軸６３から把持部スライダー３までの垂直距離よりも大きく、その場合、阻止先端６１は、把持部スライダー３における突起３１に阻止力を与え、把持部ストッパー６は、反時計方向に回転することができなく、把持部スライダー３は下向きにスライドすることができない。
【００２１】
図４に示すように、把持部ストッパー６におけるプッシュプレート６２に押圧力Ｆ３を与えると、把持部ストッパー６は時計方向に回転され、阻止先端６１は、阻止溝３２から退出し、把持部スライダー３に押圧力Ｆ４を与えると、把持部スライダー３は、把持部支え座４におけるスライドウェイ４１でスライドすることができ、その場合、把持部は拡張状態から格納状態へ変わるようになる。
【符号の説明】
【００２２】
１  保護ケース
２  把持部
３  把持部スライダー
４  把持部支え座
５  把持部捩りばね
６  把持部ストッパー
３１  突起３１
３２  阻止溝
４１  スライドウェイ
６１  阻止先端
６２  プッシュプレート
６３  回転軸
【図１】
2010237314.tif 000003
【図２】
2010237314.tif 000004
【図３】
2010237314.tif 000005
【図４】
2010237314.tif 000006